(57)【特許請求の範囲】
【請求項１】
ディスプレイアセンブリであって、
透明なＬＣＤと、
透明で、前記ＬＣＤに隣接して配置された自発光型ディスプレイと、
前記ＬＣＤと前記自発光型ディスプレイとを制御するグラフィックスプロセシングユニットと、
を備え、
前記ＬＣＤが、両方とも再構成可能である表示エリアと遮断エリアとを有し、
前記自発光型ディスプレイが、前記ＬＣＤに沿って、前記ＬＣＤの前に延び、
前記グラフィックスプロセシングユニットが、前記ディスプレイアセンブリが動作したときに、前記ＬＣＤを制御して、光が前記表示エリアを通過することを選択的に可能にする一方、光が前記遮断エリアを通過することを選択的に妨げるように、前記ＬＣＤに連結され、
前記グラフィックスプロセシングユニットが、前記ディスプレイアセンブリが動作したときに、前記自発光型ディスプレイを制御して、画像と映像とを選択的に表示するために、前記自発光型ディスプレイに連結され、
前記グラフィックスプロセシングユニットが、前記ディスプレイアセンブリが完全アナログモードで動作したときに、前記ＬＣＤを制御して、光が前記表示エリアと前記遮断エリアとを通過することを可能にするように、前記ＬＣＤに電気的に接続され、前記自発光型ディスプレイをオフにするように制御するように電気的に接続され、
前記グラフィックスプロセシングユニットが、前記ディスプレイアセンブリが完全デジタルモードで動作したときに、前記ＬＣＤを制御して、前記表示エリアと前記遮断エリアとを通過する光を遮るように、前記ＬＣＤに電気的に接続され、前記自発光型ディスプレイを制御して、画像と映像とを表示するように前記自発光型ディスプレイに電気的に接続され、
前記グラフィックスプロセシングユニットが、前記ディスプレイアセンブリがハイブリッドモードで動作したときに、前記ＬＣＤを制御して、光が前記表示エリアを通過することを可能にし、前記遮断エリアを通過する光を遮るように、前記ＬＣＤに電気的に接続され、画像と映像とを表示するように、前記自発光型ディスプレイに電気的に接続され、
前記ハイブリッドモードにおいて、前記自発光型ディスプレイ及び前記ＬＣＤは、前記表示エリア用の円弧形状の開口を生成するように構成され、前記ＬＣＤ及び前記自発光ディスプレイの両方の対向側に位置するポインタは、当該ポインタの旋回軸と連結される下部とその下部とは反対側に位置する上部とを除いた中間部のみが前記表示エリアを通して見えるように設けられている、
前記ディスプレイアセンブリ。
【請求項２】
前記ディスプレイアセンブリに電力を供給し、他の電子モジュールと通信するための、主配線コネクタを有するプリント基板をさらに含む、請求項１に記載のディスプレイアセンブリ。
【請求項３】
他の電子モジュールと通信するために、前記プリント基板に取り付けられ、前記グラフィックスプロセシングユニットに電気的に接続され、前記主配線コネクタに接続された、インターフェースプロセッサをさらに含む、請求項２に記載のディスプレイアセンブリ。
【請求項４】
前記インターフェースプロセッサに電気的に接続され、前記インターフェースプロセッサよって制御される計器モータと、前記計器モータに取り付けられ、前記計器モータによって動かすことができるポインタとをさらに含み、前記グラフィックスプロセシングユニットが、前記完全デジタルモードで、前記ＬＣＤを制御して前記表示エリアと前記遮断エリアとを通過する光を遮るときに、前記ポインタを隠すように、前記計器モータ及び前記ポインタが、両方とも、前記ＬＣＤと前記自発光型ディスプレイとの背後に配置されている、請求項３に記載のディスプレイアセンブリ。
【請求項５】
前記計器モータが、中央に設けられた隙間を画定し、前記計器モータが、前記計器モータを駆動したときに軸の周りを回転する前記隙間内に配置され、前記隙間から外へ延びるシャフトをさらに含み、前記ポインタが、前記シャフトが回転したときに前記軸の周りを回転するように、前記計器モータの前記シャフトに取り付けられ、前記計器モータの前記シャフトから半径方向に延びる、請求項４に記載のディスプレイアセンブリ。
【請求項６】
前記プリント基板に対して間隔をあけて配置され、前記プリント基板に実質的に平行に延び、少なくとも１つのオリフィスを画定するアップリケをさらに含み、前記計器モータの前記シャフトが、前記オリフィスを通って延び、前記ＬＣＤが、前記アップリケに対して間隔をあけて配置され、前記アップリケに実質的に平行に延びる、請求項５に記載のディスプレイアセンブリ。
【請求項７】
前記ポインタに光を当てるように、前記計器モータの前記隙間の中に延びるポインタＬＥＤをさらに含む、請求項６に記載のディスプレイアセンブリ。
【請求項８】
前記ポインタＬＥＤが、前記ディスプレイアセンブリが前記完全アナログモードと前記ハイブリッドモードとで動作するときに、オンになるように、また、前記ディスプレイアセンブリが前記完全デジタルモードで動作するときに、オフになるように、前記インターフェースプロセッサに電気的に接続され、前記インターフェースプロセッサによって制御される、請求項７に記載のディスプレイアセンブリ。
【請求項９】
前記ＬＣＤが、モノクロ薄膜トランジスタ型である、請求項１に記載のディスプレイアセンブリ。
【請求項１０】
前記自発光型ディスプレイが、ＯＬＥＤ型である、請求項１に記載のディスプレイアセンブリ。
【請求項１１】
前記自発光型ディスプレイが、ＡＭＯＬＥＤ型である、請求項１に記載のディスプレイアセンブリ。
【請求項１２】
前記プリント基板が、第１のグラフィックスコネクタと第２のグラフィックスコネクタとを含む、請求項２に記載のディスプレイアセンブリ。
【請求項１３】
前記グラフィックスプロセシングユニットが、前記プリント基板に取り付けられ、前記第１のグラフィックスコネクタに電気的に接続された第１のディスプレイドライバと、前記第２のグラフィックスコネクタに電気的に接続された第２のディスプレイドライバとを含む、請求項１２に記載のディスプレイアセンブリ。
【請求項１４】
前記プリント基板の前記第１のグラフィックスコネクタと前記ＬＣＤとの間に延び、前記プリント基板の前記第１のグラフィックスコネクタと前記ＬＣＤとを電気的に相互接続する、第１のディスプレイケーブルと、前記プリント基板の前記第２のグラフィックスコネクタと前記自発光型ディスプレイとの間に延び、前記プリント基板の前記第２のグラフィックスコネクタと前記自発光型ディスプレイとを電気的に相互接続する、第２のディスプレイケーブルとをさらに含む、請求項１３に記載のディスプレイアセンブリ。
【請求項１５】
バックプレートと、それぞれが前記バックプレートから横方向に延びる一対の側面と、前記バックプレートから横方向に延び、前記側面に取り付けられ、前記側面間に延び、空洞と隙間とを画定する上部及び下部と、を有する筐体をさらに含む、請求項２に記載のディスプレイアセンブリ。
【請求項１６】
前記自発光型ディスプレイが、前記上部と前記下部との間、及び前記側面間に延びる、請求項１５に記載のディスプレイアセンブリ。
【請求項１７】
前記筐体の前記側面と上部と下部とに取り付けられたマスクをさらに含み、前記自発光型ディスプレイから横方向に延び、前記自発光型ディスプレイに隣接するフランジを含む、請求項１６に記載のディスプレイアセンブリ。
【請求項１８】
前記自発光型ディスプレイと前記ＬＣＤと前記プリント基板とを保護するために、前記マスクに取り付けられたレンズをさらに含む、請求項１７に記載のディスプレイアセンブリ。
【発明の詳細な説明】
【背景技術】
【０００１】
現在の車両で使用されている従来の計器群は、通常、車両の速度などの、車両の情報または特性を伝えるアナログ計器を含む（つまり、計器モータが、ポインタまたは針を動かす）。計器群は、また、追加の情報または特性を文字または画像（たとえば、警告メッセージ）の形式で表示するために使用され得る、電子ディスプレイまたはデジタルディスプレイを含むことができる。計器群は、ますます、無数の情報を表示するようになってきているため、たとえば、ある場合にはナビゲーション情報を示し、別の場合には車両診断情報を示すことができる、再構成可能ディスプレイを用いることが望ましいことがある。
【０００２】
電子ディスプレイは計器群の中では有利であるが、それでもなお、瞬時値と変化率の両方が重要である車両の特性を監視できることは、車両の運転手にとって有益である。これらの特性は、車両速度とエンジン毎分回転数とを含むが、これらに限定されない。デジタルディスプレイは、機械式計器の見え方を再現することができるが、多くの車両購入者は、今でもなお、機械式計器を見ることを好む。したがって、計器群に使用されるディスプレイアセンブリは、透明ディスプレイ、またはアナログ計器と電子ディスプレイとの組み合わせを含むことができる。透明ディスプレイを有するそのようなディスプレイアセンブリの他の用途は、ディスプレイの背後に配置された形状または物体を含み得るゲーム機を含む。
【０００３】
一例では、ディスプレイアセンブリは、透明な液晶ディスプレイ（ＬＣＤ）を含む。同様に透明である自発光型ディスプレイは、ＬＣＤに隣接して配置されている。グラフィックスプロセシングユニットを使用して、ＬＣＤと自発光型ディスプレイとを制御する。形状または物体は、ＬＣＤの背後に配置され、選択的に、表示され、または遮られ得る。
【発明の概要】
【課題を解決するための手段】
【０００４】
ディスプレイアセンブリとディスプレイアセンブリを管理するためのシステムとを提供する。ディスプレイアセンブリは、透明なＬＣＤを含む。ディスプレイアセンブリは、さらに、同様に透明であり、ＬＣＤに隣接して配置された、自発光型ディスプレイを含む。グラフィックスプロセシングユニットを使用して、ＬＣＤと自発光型ディスプレイとを制御する。ＬＣＤは、再構成可能な、表示エリアと遮断エリアとを有する。自発光型ディスプレイは、ＬＣＤに沿って、またＬＣＤの前に延びる。グラフィックスプロセシングユニットは、ディスプレイアセンブリが動作したときに、ＬＣＤを制御して、光が表示エリアを通過することを選択的に可能にする一方、光が遮断エリアを通過することを選択的に妨げるように、ＬＣＤに連結されている。グラフィックスプロセシングユニットは、また、ディスプレイアセンブリが動作したときに、自発光型ディスプレイを制御して、画像または映像を選択的にように、自発光型ディスプレイに連結されている。
【０００５】
詳細な説明は以下の図面を参照し、同じ番号は同じアイテムを指す。
【図面の簡単な説明】
【０００６】
【図１】一実施形態による、ディスプレイアセンブリを管理するためのシステムのブロック図である。
【図２】一実施形態による、ディスプレイアセンブリのブロック図である。
【図３】一実施形態による、ディスプレイアセンブリの例示的な実装形態の断面図である。
【図４】本明細書で開示する態様による、ディスプレイアセンブリの例示的な実装形態の図である。
【図５】一実施形態による、ディスプレイアセンブリの自発光型ディスプレイとＬＣＤとポインタとの例示的な配置の分解図である。
【発明を実施するための形態】
【０００７】
車両に使用されるディスプレイアセンブリは、通常、警告またはナビゲーション情報などの情報を表示する、電子ディスプレイまたはデジタルディスプレイを含む。計器群で使用されるデジタルディスプレイを使用して、エンジン速度または車両速度を表示する機械式計器を再現することもできる。多くの車両購入者は、今でもなお、機械式計器を見ることを好むため、デジタルディスプレイを、機械式計器と併用して使用することができる。代替的に、透明なディスプレイを、機械式計器の前に配置することができる。
【０００８】
現在利用可能な透明なディスプレイは、慣例的に、透明な状態を維持し、または光を発光する。計器群内または他の方法で使用される通り、これらのディスプレイアセンブリは、選択的な背面照明の機能を実行する。そのようなディスプレイアセンブリは、ディスプレイの背後のエリアの可変部分を、他のエリアが遮られている間に表示することを、動的に可能にしない。代わりに、それらは、エリア全体を背面照明するか遮るかのいずれかを行い、またはエリア全体を透明のままにする。
【０００９】
他の現在利用可能なディスプレイアセンブリは、ディスプレイの背後の背景中に配置された物体または形状を含むことができる。これらのディスプレイアセンブリは、表示する内容のみが見えるように形状または物体を遮る能力を有するが、背景は白色光で投光照明される。しかしながら、投光照明を使用する結果として、ディスプレイアセンブリの技術を伝えることは困難であることが多い。したがって、投光照明を使用せずに、ディスプレイ全体の背後のエリアの可変部分を、他の部分が遮られている間に表示することを動的に可能にすることができる、ディスプレイアセンブリに対する必要性がまだある。
【００１０】
図１は、ディスプレイアセンブリ２２を管理するための例示的なシステム２０を示したブロック図である。システム２０とディスプレイアセンブリ２２とを、車両２４に実装することができる。システム２０は、モード決定モジュール２６と、情報インターフェースモジュール２８と、照明及び計器制御モジュール３０と、ディスプレイ駆動モジュール３２とを含む。
【００１１】
車両２４は、複数の車両システム３４を含むことができる。複数の車両システム３４は、照明システム３６、速度計器システム３８、毎分回転数システム４０、燃料計器システム４２、クロックシステム４４、トランスミッションシステム４６、及びオーディオシステム４８などであるがこれらに限定されない、システム２０を含むことができる。車両２４に関連する情報または特性を表示する任意の種類のシステム２０を、複数の車両システム３４のうちの１つとして含むことができる、ということを理解すべきである。
【００１２】
モード決定モジュール２６は、ディスプレイアセンブリ２２のモードを決定する。本開示でさらに説明する通り、ディスプレイアセンブリ２２は、完全アナログモード、完全デジタルモード、またはハイブリッドモードのいずれかでもよい。モード決定モジュール２６を、モードをさまざまな方法を介して決定するように構成することができる。たとえば、ディスプレイアセンブリ２２が特定のモードで動作する場合、モード決定モジュール２６は、その特定のモードを示す信号を、他のモジュール２８、３０、３２または車両２４の車両システム３４から受信することができる。代替的に、モード決定モジュール２６は、モード変更を、車両２４のオペレータからの機械的指示またはデジタル指示に基づいて検出するように構成され得る。
【００１３】
情報インターフェースモジュール２８は、車両２４の上記で挙げた車両システム３４とインターフェース接続する。情報インターフェースモジュール２８から供給される情報は、複数の車両システム３４に向けられたデジタルディスプレイまたは機械式計器を介して提供され得る。どれだけ頻繁に車両システム３４を監視するかという頻度を、システム２０の実装によって判断することができる。
【００１４】
照明及び計器制御モジュール３０は、背景照明またはインジケータ照明を含む、ディスプレイアセンブリ２２の照明を制御する。照明及び計器制御モジュール３０は、また、機械式計器の動きを、車両システム３４からの、情報インターフェースモジュール２８によって受信された情報に基づいて管理する。
【００１５】
ディスプレイ駆動モジュール３２は、モード決定モジュール２６と情報インターフェースモジュール２８とからの適切な信号を用いて、ディスプレイアセンブリ２２を駆動する役割を果たす。ディスプレイ駆動モジュール３２は、ディスプレイアセンブリ２２のディスプレイを選択的に変更するために用いられる、任意の種類の制御回路でもよい。ディスプレイ駆動モジュール３２を、物理的画像がディスプレイアセンブリ２２に表示されるような方法で実装することができる。
【００１６】
図２では、一実施形態のディスプレイアセンブリ２２を示している。ディスプレイアセンブリ２２は、透明なＬＣＤ５０を含む。ディスプレイアセンブリ２２は、さらに、同様に透明で、ＬＣＤ５０に隣接して配置された、自発光型ディスプレイ５２を含む。グラフィックスプロセシングユニット５４を使用して、ＬＣＤ５０と自発光型ディスプレイ５２とを制御する。グラフィックスプロセシングユニット５４は、第１のディスプレイドライバ５６と第２のディスプレイドライバ５８とを含む。インターフェースプロセッサ６０は、ディスプレイアセンブリ２２を動作させるために、グラフィックスプロセシングユニット５４と連結されている。計器モータ６２は、インターフェースプロセッサ６０に電気的に接続されている。ポインタＬＥＤ６４が、また、インターフェースプロセッサ６０に電気的に接続され、インターフェースプロセッサ６０によって制御される。
【００１７】
車両２４の上記で識別した車両システム３４の各々は、インターフェースプロセッサ６０に関連する態様のうちのいくつかを組み込んで、デバイスとインターフェース接続することができる。より具体的には、システム２０のモード決定モジュール２６と情報インターフェースモジュール２８と照明及び計器制御モジュール３０とディスプレイ駆動モジュール３２とを、インターフェースプロセッサ６０に関連付けることができる。インターフェースプロセッサ６０は、イーサネット(登録商標)、ＣＡＮ、などであるがこれらに限定されないもので使用される、さまざまなバスまたはネットワーキング配置上で通信するように構成され得る。インターフェースプロセッサ６０は、したがって、ディスプレイアセンブリ２２に表示され得る情報、または代替的に、ディスプレイの背後に配置された物体または形状（たとえば、機械式計器）と共に表示され得る情報の通信を容易にすることができる。加えて、インターフェースプロセッサ６０は、システム２０に関連する現在モード、または各車両システム３４に関連する動作を記憶することができる。加えて、車両システム３４の各々との通信は、双方向であることができ、車両２４のオペレータからの入力によって制御され得る。
【００１８】
インターフェースプロセッサ６０は、本明細書で説明する機能を提供するためのコンピュータプログラムモジュール２６、２８、３０、３２を実行するように適応されている。本明細書で使用する「モジュール」という用語は、特定の機能を提供するために使用されるコンピュータプログラム論理を指す。したがって、モジュールを、ハードウェア、ファームウェア、及び／またはソフトウェアで実装することができる。プログラムモジュール２６、２８、３０、３２は、一実施形態では、インターフェースプロセッサ６０上で記憶され、実行されるが、説明する機能が代替的な手法または機構で実行され得る、ということを理解すべきである。
【００１９】
図３に示す通り、一実施形態のディスプレイアセンブリ２２は、車両２４の計器群であり、バックプレート６８を有する筐体６６と、バックプレート６８から横方向に延びる一対の側面とを含む。筐体６６は、また、それぞれがバックプレート６８から横方向に延び、側面に取り付けられ、側面の間に延びる、上部７０と下部７２とを含む。筐体６６のバックプレート６８、側面、上部７０、及び下部７２は、空洞７４と開口部７６とを画定する。ディスプレイアセンブリ２２の他の実施形態が、他の筐体６６構成を含むことができ、または筐体６６を全く含まなくてもよい、ということを理解すべきである。
【００２０】
プリント基板７８は、空洞７４内に配置されている。プリント基板７８は、上部７０と下部７２との間、及び側面間で、バックプレート６８に取り付けられ、それに実質的に平行に延びる。プリント基板７８は、車両システム３４などの他の電子デバイスに電力を供給し、それらと通信するための（図示しない）主配線コネクタを含む。プリント基板７８は、また、第１のグラフィックスコネクタ８０と第２のグラフィックスコネクタ８２とを含む。しかしながら、他の実施形態が、ディスプレイアセンブリ２２の部品を電気的に相互接続するために使用される、他の構造と配置とを含むことができる、ということを理解すべきである。
【００２１】
（図３には図示しない）インターフェースプロセッサ６０は、プリント基板７８に取り付けられ、ディスプレイアセンブリ２２を動作させ、車両システム３４と通信するために、主配線コネクタに電気的に接続されている。たとえば、毎分回転数システム２０は、現在のエンジンの毎分回転数（ＲＰＭ）をシステム２０に伝えることができるエンジン制御装置であることができ、その後、システム２０は、ディスプレイアセンブリ２２を、ディスプレイドライバモジュールを介して管理して、車両２４の速度をディスプレイアセンブリ２２に表示する。同様に、速度計器システム３８は、車輪速度センサから取得した車両速度をシステム２０に伝えることができるアンチロックブレーキング制御装置であることができ、その後、システム２０は、ディスプレイアセンブリ２２を、ディスプレイドライバモジュールを使用して管理して、車両２４の速度をディスプレイアセンブリ２２に表示する。ディスプレイアセンブリ２２の一実施形態はインターフェースプロセッサ６０を含むが、ディスプレイアセンブリ２２が、インターフェースプロセッサ６０なしに、またはディスプレイアセンブリ２２に連結されているが、離れた場所に配置されているプロセッサを活用することによって、機能することができる、ということを理解すべきである。
【００２２】
計器モータ６２は、プリント基板７８に取り付けられ、インターフェースプロセッサ６０に電気的に接続されている。計器モータ６２は、中央に設けられた隙間８４を画定する。計器モータ６２は、隙間８４内に配置され、隙間８４の外に延びる、シャフト８６を含む。計器モータ６２のシャフト８６は、プリント基板７８と計器モータ６２とから離れるように延び、計器モータ６２を駆動すると、軸の周りを回転する。ポインタ８８は、計器モータ６２のシャフト８６に取り付けられ、それから半径方向に延び、シャフト８６が回転すると、軸の周りを回転する。ポインタＬＥＤ６４は、プリント基板７８に取り付けられ、プリント基板７８から計器モータ６２の隙間８４の中に延びる。
【００２３】
アップリケ９０は、プリント基板７８に対して間隔をあけて配置され、上部７０と下部７２との間、及び側面間で、プリント基板７８に実質的に平行に延び、少なくとも１つのオリフィス９２を画定する。計器モータ６２のシャフト８６は、オリフィス９２を通って延びる。一実施形態では、アップリケ９０は、ディスプレイアセンブリ２２内で使用されるさまざまな形状または物体に名前を付ける、印刷またはグラフィックスを含むことができる。たとえば、アップリケ９０を、車両２４の計器群で使用して、どのような速度がポインタ８８によって示されているかを示す印に名前を付けることができる。
【００２４】
ディスプレイアセンブリ２２のＬＣＤ５０は、上記で説明した通り透明である。ディスプレイアセンブリ２２の一実施形態のＬＣＤ５０は、モノクロ薄膜トランジスタ型であるが、他の種類のＬＣＤを使用することができる、ということを理解すべきである。ＬＣＤ５０は、アップリケ９０に対して間隔をあけて配置され、筐体６６の、上部７０と下部７２との間、また側面間で、アップリケ９０に実質的に平行に延びる。
【００２５】
述べた通り、ディスプレイアセンブリ２２は、透明な自発光型ディスプレイ５２をさらに含む。自発光型ディスプレイ５２は、筐体６６の、上部７０と下部７２との間、また側面間で、ＬＣＤ５０に隣接して配置され、ＬＣＤ５０に沿って、その前に延びる。自発光型ディスプレイ５２は、それ自体の光を生成し、自発光型ディスプレイ５２の背後のエリアを光で照らす必要がないため、この種のアプリケーションに適している。自発光型ディスプレイ５２は、電子発光タイプ、有機発光ダイオード（ＯＬＥＤ）タイプ、またはアクティブマトリックス式有機発光ダイオード（ＡＭＯＬＥＤ）タイプなどであるがこれらに限定されない種類であってもよい。
【００２６】
ディスプレイ駆動モジュール３２は、グラフィックスプロセシングユニット５４に関連する態様のうちのいくつかを組み込んで、デバイスとインターフェース接続することができる。グラフィックスプロセシングユニット５４は、プリント基板７８に取り付けられ、インターフェースプロセッサ６０に電気的に接続されている。グラフィックスプロセシングユニット５４の第１のディスプレイドライバ５６は、第１のグラフィックスコネクタ８０に電気的に接続され、グラフィックスプロセシングユニット５４の第２のディスプレイドライバ５８は、第２のグラフィックスコネクタ８２に電気的に接続されている。
【００２７】
プリント基板７８とＬＣＤ５０との間の電気接続は、プリント基板７８の第１のグラフィックスコネクタ８０とＬＣＤ５０との間に延び、それらを電気的に相互接続する、第１のディスプレイケーブル９４を用いて達成される。同様に、第２のディスプレイケーブル９６は、プリント基板７８の第２のグラフィックスコネクタ８２と自発光型ディスプレイ５２との間に延び、それらに電気的に接続されている。
【００２８】
マスク９８も、筐体６６の側面と上部７０と下部７２とに取り付けられている。マスク９８は、自発光型ディスプレイ５２から横方向に延び、それに隣接するフランジを含む。レンズ１００は、マスク９８に取り付けられ、自発光型ディスプレイ５２とＬＣＤ５０とプリント基板７８とを保護するために、開口部７６の上に延びている。筐体６６とプリント基板７８とインターフェースプロセッサ６０と同様に、ディスプレイアセンブリ２２の他の実施形態が、マスク９８またはレンズ１００を含まなくてもよい、ということを理解すべきである。
【００２９】
図４に示す通り、ＬＣＤ５０は、表示エリア１０２と遮断エリア１０４とを有する。表示エリア１０２及び遮断エリア１０４は、再構成可能である。言い換えると、表示エリア１０２及び遮断エリア１０４は、任意の時間で、ＬＣＤ５０の全エリアの任意の比率または量を備えることができる。システム２０のディスプレイ駆動モジュール３２は、グラフィックスプロセシングユニット５４を管理して、ＬＣＤ５０を制御することができる。上記で説明した通り、グラフィックスプロセシングユニット５４は、ディスプレイアセンブリ２２が動作したときに、ＬＣＤ５０を制御して、光が表示エリア１０２を通過することを選択的に可能にする一方、光が遮断エリア１０４を通過することを選択的に妨げるように、ＬＣＤ５０に連結されている。同様に、グラフィックスプロセシングユニット５４は、また、ディスプレイアセンブリ２２が動作したときに、自発光型ディスプレイ５２を制御して、画像または映像を選択的に表示するように、自発光型ディスプレイ５２と連結されている。
【００３０】
より具体的には、グラフィックスプロセシングユニット５４は、完全アナログモードでは、ＬＣＤ５０を制御して、光が表示エリア１０２と遮断エリア１０４とを通過することを可能にするように、ＬＣＤ５０に電気的に接続されている。グラフィックスプロセシングユニット５４は、また、ディスプレイアセンブリ２２が完全アナログモードで動作した時は、自発光型ディスプレイ５２をオフにするように制御するために、自発光型ディスプレイ５２に電気的に接続されている。ディスプレイアセンブリ２２が、完全アナログモード、完全デジタルモード、またはハイブリッドモードで動作するかどうかは、システム２０のモード決定モジュール２６によって判断される。グラフィックスプロセシングユニット５４が、ＬＣＤ５０と自発光型ディスプレイ５２とに電気的に接続されているために、グラフィックスプロセシングユニット５４は、ディスプレイアセンブリ２２が完全デジタルモードで動作した時は、ＬＣＤ５０を制御して、表示エリア１０２と遮断エリア１０４とを通過する光を遮る一方、自発光型ディスプレイ５２を制御して、画像または映像を表示する。加えて、グラフィックスプロセシングユニット５４は、ディスプレイアセンブリ２２がハイブリッドモードで動作した時は、ＬＣＤ５０を制御して、光が表示エリア１０２を通過することを可能にし、遮断エリア１０４を通過する光を遮る一方、自発光型ディスプレイ５２を制御して、画像または映像を表示する。ＬＣＤ５０と自発光型ディスプレイ５２とを、ディスプレイを駆動するように構成された他のデバイスを使用して、またはディスプレイドライバ５６、５８の異なる配置を使用するグラフィックスプロセシングユニット５４を使用して、制御することができる、ということを理解すべきである。代替的に、グラフィックスプロセシングユニット５４は、別のデバイス内に配置されながら、ディスプレイ駆動モジュール３２と通信することができる。
【００３１】
ポインタＬＥＤ６４は、ディスプレイアセンブリ２２が完全アナログモードとハイブリッドモードとで動作したときに、オンになるように、また、ディスプレイアセンブリ２２が完全デジタルモードで動作したときに、オフになるように、インターフェースプロセッサ６０によって制御される。ポインタＬＥＤ６４の輝度は、（たとえば、車両２４の運転者が車内照明の輝度を調整した場合、）情報インターフェースモジュール２８によって受信される、車両２４の照明システム３６からの信号によって影響され得る。したがって、照明及び計器制御モジュール３０は、ポインタＬＥＤ６４を、これらの信号に応じて制御することができる。
【００３２】
動作中、ディスプレイアセンブリ２２のモードは、モード決定モジュール２６によって判断される。ディスプレイドライバモジュールは、次いで、ＬＣＤ５０と自発光型ディスプレイ５２とを、グラフィックスプロセシングユニット５４のディスプレイドライバ５６、５８を介して、現在モードに従って管理する。車両２４に関連する、複数の車両システム３４からのさまざまな情報は、情報インターフェースモジュール２８を使用して受信される。車両２４の状態についての情報を、リアルタイムで更新することができる。ディスプレイドライバモジュールは、ＬＣＤ５０と自発光型ディスプレイ５２とを管理して、この情報を適切に表示する。照明及び計器制御モジュール３０は、また、ポインタＬＥＤ６４と計器モータ６２とを管理して、ポインタ８８を、受信した情報に対応するように動かす。
【００３３】
ほとんどの場合、透明な自発光型ディスプレイ５２は、その背後から差し込む光を遮らない。図５に示す通り、ディスプレイアセンブリ２２の自発光型ディスプレイ５２は、ＬＣＤ５０に隣接して配置され、それに沿って、またその前に延び、ＬＣＤ５０が、自発光型ディスプレイ５２と計器モータ６２とポインタ８８との間に配置されるようにする。これは、ＬＣＤ５０が動的なシャッターの役割を果たし、計器モータ６２とポインタ８８とを、望ましい場合には見えるようにするが、同様に、遮り、または隠すようにする、ということを意味する。ＬＣＤ５０は、ＬＣＤ５０の遮断エリア１０４のみで、または遮断エリア１０４と可視エリアの両方で、光の当たっていない黒色背景を自発光型ディスプレイ５２に提供することができる。したがって、一実施例として、速度計ポインタ８８または計器群のうちのその部分は、完全アナログモードまたはハイブリッドモード中は可視であり得るが、その後、ナビゲーション情報を自発光型ディスプレイ５２に表示するために、完全に隠され、または遮られ得る。用途の他の実施例は、たとえば、自発光型ディスプレイ５２とＬＣＤ５０との背後に配置された回転リールを有し得るゲーム機（たとえば、スロットマシン）を含む。
【００３４】
ディスプレイアセンブリ２２は、また、システム２０を使用して、要望通りに容易に再構成され得る。一実施例として、製造者は、複数の国で使用される、１つの計器群を作ることができる。自発光型ディスプレイ５２は、計器群が測定単位を使用する国で使用されるように構成される場合、機械式計器の周りの単位表示を、時速マイル（ｍｐｈ）から時速キロメートル（ｋｐｈ）に容易に変更することができる。システム２０のディスプレイ駆動モジュール３２は、たとえば、情報インターフェースモジュール２８を介して受信したメッセージに応じて、表示するものを変更することができる。同様に、１つのディスプレイアセンブリ２２は、システム２０を使用して、たとえば、スポーツカーまたは実用車のいずれかの計器群として使用されるように再構成され得る。スポーツカーは、計器群の中央で見ることができるタコメータを活用することができる一方、実用車は、タコメータではなく、中央で見ることができる速度計のみを含むことができる。各場合で、ＬＣＤ５０と自発光型ディスプレイ５２とを、システム２０によって、ディスプレイ駆動モジュール３２を介して、要望に応じて制御することができる。
【００３５】
開示するディスプレイアセンブリ２２の１つまたは複数の態様のいくつかの利点は、それが、情報を伝えると同時に、ディスプレイの背後の物体または形状を表示するという、視覚的に美しい手法を提供することである。本開示のディスプレイアセンブリは、ディスプレイの背後の物体または形状を遮るために、ディスプレイの背後の背景を白色光で投光照明しない。ディスプレイアセンブリ２２は、また、ディスプレイの背後のエリアの全部を、そのエリアに背後から光を当てることによって、または代替的にディスプレイ全体で透明のままにすることによって、単に遮るのではなく、ディスプレイの背後のエリアの可変部分が表示される一方で、他が遮られることを動的に可能にする。したがって、ディスプレイは、所望のアプリケーションのために、容易にカスタマイズされ得る。
【００３６】
インターフェースプロセッサ６０は、たとえば、プロセッサ（ＣＰＵ）と、リードオンリメモリ（ＲＯＭ）及びランダムアクセスメモリ（ＲＡＭ）などのシステムメモリを含むさまざまなシステム構成要素を、プロセッサに連結するシステムバスとを含むことができる。他のシステムメモリを、同様に使用することができる。インターフェースプロセッサ６０は、より高い処理能力を提供するために、１つより多いプロセッサ、またはネットワークで結ばれた、コンピュータシステムのグループまたはクラスターを含むことができる。システムバスは、メモリバスまたはメモリコントローラと、周辺機器用バスと、さまざまなバスアーキテクチャのうちの任意のものを使用するローカルバスとを含む、いくつかの種類のバス構造のうちの任意のものでもよい。ＲＯＭなどに記憶された基本入出力システム（ＢＩＯＳ）は、起動中などに、情報を伝達することを補助する基本ルーチンを提供することができる。インターフェースプロセッサ６０は、さらに、データストアを含むことができる。データストアは、ハードディスクドライブ、磁気ディスクドライブ、光ディスクドライブ、テープドライブ、または磁気カセット、フラッシュメモリカード、デジタル多用途ディスク、カートリッジ、ランダムアクセスメモリ（ＲＡＭ）、及びリードオンリメモリ（ＲＯＭ）などの、プロセッサによってアクセス可能なデータを記憶することができる他の種類のコンピュータ可読媒体などの、多くの形態で具体化され得る。データストアは、コンピュータ可読命令と、データ構造と、プログラムモジュール２６、２８、３０、３２と、コンピューティングシステムのための他のデータとの、不揮発性記憶装置を提供する。
【００３７】
本明細書で開示する実施形態を、本明細書で開示する構造とそれらの同等物を含む、デジタル電子回路で、またはコンピュータソフトウェア、ファームウェア、またはハードウェアで実装することができる。いくつかの実施形態を、１つまたは複数のプロセッサによって実行されるために有形コンピュータ記憶媒体上で符号化された、１つまたは複数のコンピュータプログラム、つまり、コンピュータプログラム命令から成る１つまたは複数のモジュール２６、２８、３０、３２として実装することができる。コンピュータ記憶媒体は、コンピュータ可読記憶デバイス、コンピュータ可読記憶基板、またはランダムまたはシリアルアクセスメモリであることができ、またはコンピュータ可読記憶デバイス、コンピュータ可読記憶基板、またはランダムまたはシリアルアクセスメモリに含まれ得る。コンピュータ記憶媒体は、また、複数のＣＤ、ディスク、または他の記憶デバイスなどの、１つまたは複数の別々の有形の構成要素または媒体であることができ、または１つまたは複数の別々の有形の構成要素または媒体に含まれ得る。コンピュータ記憶媒体は、一時的な信号を含まない。
【００３８】
本明細書で使用するプロセッサという用語は、例として、プログラム可能プロセッサ、コンピュータ、システムオンチップ、または前述のうちの複数のものまたは組み合わせを含む、データを処理するための全ての種類の装置とデバイスとマシンとを包含する。プロセッサは、特殊用途論理回路、たとえば、ＦＰＧＡ（フィールドプログラム可能ゲートアレイ）またはＡＳＩＣ（特定用途向け集積回路）を含むことができる。プロセッサは、また、ハードウェアに加えて、対象となるコンピュータプログラムのための実行環境を作成するコード、たとえば、プロセッサファームウェア、プロトコルスタック、データベース管理システム、オペレーティングシステム、クロスプラットフォームランタイム環境、仮想マシン、またはそれらのうちの１つまたは複数の組み合わせを構成するコードを含むことができる。
【００３９】
（プログラム、モジュール、エンジン、ソフトウェア、ソフトウェアアプリケーション、スクリプト、またはコードとしても知られている）コンピュータプログラムを、コンパイラ型言語またはインタープリタ型言語、宣言型言語または手続き型言語を含む、任意の形式のプログラミング言語で記述することができ、プログラムを、独立型プログラム、またはモジュール、構成要素、サブルーチン、オブジェクト、またはコンピューティング環境での使用に適した他の単位を含む、任意の形式で展開することができる。コンピュータプログラムは、ファイルシステム内のファイルに対応することができるが、そうしなくてもよい。プログラムを、他のプログラムまたはデータを保持するファイルの一部（たとえば、マークアップ言語文書内に記憶された１つまたは複数のスクリプト）に、当該プログラム専用の１つのファイルに、または複数の連係ファイル（たとえば、１つまたは複数の、モジュール２６、２８、３０、３２、サブプログラム、またはコードの部分を記憶するファイル）に記憶することができる。コンピュータプログラムを、１つのコンピュータ上で、または１つの場所に配置された、または複数の場所に渡って分散し通信ネットワークによって相互接続された、複数のコンピュータ上で、実行されるように展開することができる。
【００４０】
本明細書で開示したシステム２０は、また、クライアントとサーバとを含むことができる。クライアント及びサーバは、通常、互いに離れており、通常、通信ネットワークを介して相互作用する。クライアントとサーバという関係は、各コンピュータ上で動き、互いにクライアント−サーバ関係を有するコンピュータプログラムのために生じる。いくつかの実施形態では、サーバは、データ（たとえば、ＨＴＭＬページ）をクライアントデバイスに（たとえば、データを表示し、クライアントデバイスと相互作用するユーザからのユーザ入力を受信する目的のために）送信する。クライアントデバイスで（たとえば、ユーザの相互作用の結果として）生成されたデータを、サーバにおいてクライアントデバイスから受信することができる。
【００４１】
明らかに、多くの変更及び変形が、上記の教示を踏まえて可能であり、添付の特許請求の範囲に含まれながらも、具体的に説明されたものとは別の方法で実践され得る。これら先の記述は、発明的新規性がその有効性を発揮するいかなる組み合わせも含む、と解釈されるべきである。加えて、特許請求の範囲における参照番号は、単に利便性のためであり、決して限定するものとして解釈されるものではない。
【図１】
0006272924.tif 000002
【図２】
0006272924.tif 000003
【図３】
0006272924.tif 000004
【図４】
0006272924.tif 000005
【図５】
0006272924.tif 000006